(57)【要約】【課題】ハンドルにロック装置が埋設されて開閉表示機能を有する扉用レバーハンドルを提供することを目的とする。【解決手段】扉に固定されるフランジと、フランジを貫通するシャフト部および把持部が一体に形成されたハンドルと、シャフト部に埋設されてフランジに対してハンドルをロックするシリンダ錠とを備える扉用レバーハンドルにおいて、フランジの内部に空間が形成されるとともにフランジの表面にシリンダ錠の施錠・解錠状態表示用の表示窓が穿設され、空間内にシリンダ錠の裏面が臨み、空間内でシリンダ錠の回転運動を往復動に変換するカム機構により表示窓にシリンダ錠の施錠・解錠状態を表す表示が交互に現される構成とした。【選択図】図１
2007217925.tif 000002
【特許請求の範囲】
【請求項１】
扉に固定されるフランジと、
前記フランジを貫通するシャフト部および把持部が一体に形成されたハンドルと、
前記シャフト部に埋設されて前記フランジに対して前記ハンドルをロックするシリンダ錠と、
を備える扉用レバーハンドルにおいて、
前記フランジの内部に空間が形成されるとともに前記フランジの表面に前記シリンダ錠の施錠・解錠状態表示用の表示窓が穿設され、
前記空間内に前記シリンダ錠の裏面が臨み、
前記空間内で前記シリンダ錠の回転運動を往復動に変換するカム機構により
前記表示窓に前記シリンダ錠の施錠・解錠状態を表す表示が交互に現されることを特徴とする扉用レバーハンドル。
【請求項２】
前記カム機構が
前記シリンダ錠の裏面から突き出る係合ピンと、
前記シャフト部を径方向に貫通し前記係合ピンが露出可能な位置に穿孔されるガイド孔と、
前記係合ピンに係合する係合孔を有し前記ガイド孔に往復動可能に収容されるスライド部材と、
を含む請求項１に記載の扉用レバーハンドル。
【請求項３】
前記カム機構は更に、
前記シャフト部と前記フランジの内壁との隙間で前記フランジの内壁に沿って往復動可能な表示用部材と、
前記表示用部材に対する付勢手段と、を備え、
前記表示用部材は前記スライド部材により原位置から移動させられ前記付勢手段で原位置に押し戻される請求項２に記載の扉用レバーハンドル。
【請求項４】
前記表示用部材が前記シャフト部の直径より大きい開口を有し、
前記開口の内側に前記スライド部材が前記表示用部材に当接可能に配設され、
前記スライド部材の往復動方向上で前記開口の外側に前記付勢手段が前記表示用部材に当接して設けられるとともに、
前記表示用部材が前記表示窓と向かい合う面に前記シリンダ錠の施錠・解錠状態を表す表示部が設けられている請求項３に記載の扉用レバーハンドル。
【請求項５】
前記スライド部材は、前記シリンダ錠が前記フランジに対して前記ハンドルをロックするためのロック爪と一体に成形されている請求項２から請求項４のいずれかに記載の扉用レバーハンドル。
【発明の詳細な説明】
【技術分野】
【０００１】
本発明は、開閉表示機能を有する扉用レバーハンドルに関する。
【背景技術】
【０００２】
従来、電気制御盤等の扉の施錠及び開閉を行うために扉用レバーハンドル（以下レバーハンドルという）が広く用いられている。レバーハンドルは電気制御盤等の扉の施錠等に用いられるものであり、安全上の理由等で開閉状態を表示することが多い。
特許文献１では、ケース本体上部の軸受部にハンドルの回転軸を軸支し、下端部にロックユニットを埋設し、ロックユニットの内端の軸に回転レバーを嵌着して接続ピンを介して第１スライドロッドと第２スライドロッドを連設し、ロックユニットの施錠動作に追従させて第１と第２スライドロッドを上昇させてレバーハンドルを垂直位置に施錠する扉用ハンドルのロック装置において、第１スライドロッドに表示部を設け、ハンドルの先端と前記ロックユニットの埋設位置との中間に設けた窓穴を通じて開閉表示を行なっている。
【特許文献１】特開２００５−１６１０４号公報（請求項２、図１）
【発明の開示】
【発明が解決しようとする課題】
【０００３】
特許文献１に開示された開閉表示機構はハンドルとロック装置が離間して設けられている場合に有効であるが、ハンドルにロック装置が埋設されている場合には適用しがたい。
【０００４】
前記問題に鑑み本発明は、ハンドルにロック装置が埋設されて開閉表示機能を有するレバーハンドルを提供することを目的とする。
【課題を解決するための手段】
【０００５】
前記課題を解決するための本発明の前提は、扉に固定されるフランジと、前記フランジを貫通するシャフト部および把持部が一体に形成されたハンドルと、前記シャフト部に埋設されて前記フランジに対して前記ハンドルをロックするシリンダ錠とを備える扉用レバーハンドルである。
【０００６】
前記前提における本発明の特徴は、前記フランジの内部に空間が形成されるとともに前記フランジの表面に前記シリンダ錠の施錠・解錠状態表示用の表示窓が穿設され、前記空間内に前記シリンダ錠の裏面が臨み、前記空間内で前記シリンダ錠の回転運動を往復動に変換するカム機構により前記表示窓に前記シリンダ錠の施錠・解錠状態を表す表示が交互に現されることである。
【０００７】
本発明には、次のような好ましい実施態様がある。
（１）前記カム機構が前記シリンダ錠の裏面から突き出る係合ピンと、前記シャフト部を径方向に貫通し前記係合ピンが露出可能な位置に穿孔されるガイド孔と、前記係合ピンに係合する係合孔を有し前記ガイド孔に往復動可能に収容されるスライド部材と、を含むことである。
（２）前記カム機構は更に、前記シャフト部と前記フランジの内壁との隙間で前記フランジの内壁に沿って往復動可能な表示用部材と、前記表示用部材に対する付勢手段と、を備え、前記表示用部材は前記スライド部材により原位置から移動させられ前記付勢手段で原位置に押し戻されることである。
（３）前記表示用部材が前記シャフト部の直径より大きい開口を有し、前記開口の内側に前記スライド部材が前記表示用部材に当接可能に配設され、前記スライド部材の往復動方向上で前記開口の外側に前記付勢手段が前記表示用部材に当接して設けられるとともに、前記表示用部材が前記表示窓と向かい合う面に前記シリンダ錠の施錠・解錠状態を表す表示部が設けられていることである。
（４）前記スライド部材は、前記シリンダ錠が前記フランジに対して前記ハンドルをロックするためのロック爪と一体に成形されていることである。
【発明の効果】
【０００８】
本発明によれば、フランジ内部に空間を形成してこの空間内にシリンダ錠の施錠・解錠状態を表示するカム機構を配置する構成としたので、ハンドルにロック装置が埋設された扉用レバーハンドルにも容易に適用することができる。これによりハンドルにロック装置が埋設され、かつ開閉表示機能を有する扉用レバーハンドルを提供することができる。
また、スライド部材にロック爪を一体に形成すれば、簡易な構成になるのでカム機構の厚みが薄くなり、扉用レバーハンドルのフランジ内部の狭い空間にも容易に設置することができる。
【発明を実施するための最良の形態】
【０００９】
添付の図１と図２を参照して、本発明に係るレバーハンドル１について説明する。図１はレバーハンドル１の一部を破断して模式的に示した分解斜視図であり、シリンダ錠６とスライド部材１３をハンドル５から抜き出して図示してある。図２は図１のＩＩ−ＩＩ断面図であり、シリンダ錠が解錠されハンドル５がフランジ２から開放されているときの状態を表す。
なお、以下の説明で上下というときは図面上での方向をいう。またレバーハンドル１の長手方向に直交する方向を幅方向ということがある。
【００１０】
図１に示すようにレバーハンドル１は、部分破断図で示した扉Ｄに固定されるフランジ２と、シャフト部３と把持部４とが一体に形成されたハンドル５で構成されている。また、フランジ２に対してハンドル５をロックするためのロック装置であるシリンダ錠６がハンドル５のシャフト部３に埋設されており、フランジ２の表面に設けられた表示窓７に、シリンダ錠６の施錠・解錠状態を表す表示が交互に現れるようになっている。
【００１１】
フランジ２はドアＤの裏側からナット３６を螺着することによりドアＤに固定され、ハンドル５はシャフト部３をフランジ２に挿通しワッシャを介してボルト３０で爪金具３３を固着することによりフランジ２に回転可能に取付けられる。爪金具３３は、シリンダ錠６が施錠されているときに、例えばドアＤの取付枠に設けた錠止孔（図示せず）に係止するように固着される。
【００１２】
シリンダ錠６が施錠されているときは、ハンドル５はフランジ２に対してロックされているのでシャフト部３は回転せず、爪金具３３の係止状態が維持されてドアＤは鍵が掛かった状態となる。シリンダ錠６を解錠すると、フランジ２に対するハンドル５のロックが解除され、ハンドル５の把持部４を反時計回りに回すと爪金具３３も反時計回りに回って爪金具３３の係止状態が解除され、ハンドル５の把持部４を持って手前に引けば扉Ｄが開く。
【００１３】
フランジ２は、扉Ｄへの取付けに用いられる第1フランジ２ａと、表面に表示窓７が穿設された第２フランジ２ｂとで構成され、第1フランジ２ａのネジ孔３７、３７を介してネジ止めされる。第２フランジ２ｂは、円筒状の側壁３８と天板３９とで形成され第1フランジ２ａとの間に空間が形成される（図２参照）。表示窓７はレバーハンドル１を正面から見たときハンドル５の左右両側に１つずつ見えるように穿設され、また、フランジ２の中央部にはシャフト部３を挿通するための透孔４０が形成されている。更に、第２フランジ２ｂの透孔４０の上端部にはハンドル５をフランジ２にロックするためのロック孔４１が設けられている。
【００１４】
ハンドル５のシャフト部３には、シリンダ錠６を収容するための円筒状の収容孔３４と、スライド部材１３を往復動可能に収容するための角柱状のガイド孔１４とを備える。円筒状の収容孔３４は、シャフト部３の軸線方向に沿って穿設され、収容孔３４の軸線方向深さは、シリンダ錠６及びその裏面から突き出る係合ピン１１の軸線方向長さの合計とほぼ同じであり、第1フランジ２ａと第２フランジ２ｂとの間の空間にシリンダ錠６の裏面が臨む位置に設定される。
ガイド孔１４はシャフト部３を径方向に貫通する角柱状の孔であり、その一部が収容孔３４の係合ピン１１を収容する部分と重なり合うようにして穿孔されている。このガイド孔１４では、収容孔３４の係合ピン１１を収容する部分と重なり合う部分でスライド部材１３と係合ピン１１との係合が行われ、収容孔３４と重ならない部でスライド部材１３の往復動がガイドされる。
【００１５】
ガイド孔１４に収容される角柱状のスライド部材１３は、その長手方向（図面上の上下方向）の寸法がシャフト部３の直径より僅かに小さい突起部１３ａと、突起部１３ａの長手方向に一段低い段差を設けて突起部１３ａと一体に形成されるロック部１３ｂとで構成され、ロック部１３ｂには係合孔１２とロック爪３１が備えられている。
【００１６】
係合孔１２は突起部１３ａの長手方向を二分する中心線をはさんで前記段差とは反対側に設けられ、ロック爪３１は前記段差と同じ側に設けられる。また、ロック部１３ｂはガイド孔１４と収容孔３４とが重なり合う部分に収容され、突起部はガイド孔１４の角柱状の部分に往復動可能に収容される。そして、ガイド孔１４内でスライド部材１３が往復動したとき、突起部１３ａとロック爪３１はシャフト部３の表面に対して出入可能に設けられている。
このようにスライド部材１３にロック爪３１を一体に形成すれば、カム機構が簡易な構成となり、その厚みが薄くなるので、レバーハンドル１のフランジ２内部の狭隘な空間でも容易に設置することができる。
【００１７】
第1フランジ２ａと第２フランジ２ｂとの間に形成される空間にはカム機構を構成する係合ピン１１が露出し、スライド部材１３、表示用部材２１と付勢手段であるバネ２２が収容される。
表示用部材２１は上下一対の棒状部２１ａと、棒状部２１ａの両端を連結するように延在する左右一対の板状部２１ｂからなる板状部材であり、棒状部２１ａと板状部２１ｂで囲まれる開口２６はシャフト部３の直径より大きく、表示用部材２１の往復動の距離を考慮してシャフト部３と干渉することなく往復動可能に形成されている。また、板状部２１ｂの各々にシリンダ錠６の施錠・解錠状態を表す表示部２３が設けられている。
【００１８】
図２に示すように、表示用部材２１の棒状部２１ａは往復動可能なスライド部材１３とバネ２２の間に配設され、表示用部材２１は第1フランジ２ａと第２フランジ２ｂの内壁に往復動可能に当接する。このように第1フランジ２ａと第２フランジ２ｂとの間に形成される空間にシリンダ錠６の施錠・解錠状態を表示するカム機構を配置することにより、ハンドルにシリンダ錠６が埋設されたレバーハンドル１に開閉表示機能が付与される。
【００１９】
次に、図３、図４を参照して本実施形態のカム機構によるシリンダ錠の施錠・解錠状態の表示について説明する。図３は図１のＩＩ−ＩＩ部分断面図であり、図４は図２のＩＶ−ＩＶ断面図である。
図３（ａ）と図４（ａ）はハンドル５がフランジ２から開放された状態、図３（ｂ）と図４（ｂ）はハンドル５がフランジ２にロックされた状態を表す。
【００２０】
図３（ａ）に示すように、カム機構はシリンダ錠６の裏面から突き出る係合ピン１１と、これに係合するスライド部材１３と、シャフト部３貫通してスライド部材１３を収容するガイド孔１４と、表示用部材２１と、表示用部材２１に対する付勢手段であるバネ２２とを含んでいる。
また、係合ピン７および係合孔１２は、前述の収容孔３４とガイド孔１４とが重なり合う部分に位置している。
【００２１】
図３（ａ）、図４（ａ）ではシリンダ錠６が解錠されており、係合ピン７は図中下方に位置し、ロック爪３１はロック孔４１から退出しており、また突起部１３ａの先端は、ハンドル５を回す操作の障害にならないよう、シャフト部３の表面から僅かに陥没した位置にある。
このとき表示用部材２１は原位置にあり、第２フランジ２ｂの側壁３８との間に挿入されるバネ２２で下方に押されて上側の棒状部２１ａがシャフト部３に当接している。また、図４（ａ）に示すように破線で示す表示窓７には表示用部材２１の表示部２３が露出して解錠状態であることが表示されている。
【００２２】
図３（ａ）において、施錠するためシリンダ錠６が回転運動すると係合ピン７が旋回動し、係合孔１２を介してスライド部材１３の往復動に変換され、スライド部材１３はガイド孔１４に沿って上方へ移動して突起部１３ａの先端がシャフト部３の表面から突き出すことにより表示用部材２１を原位置から上方へ移動させる。同時に、スライド部材１３のロック爪３１は、フランジ２のロック孔４１に向けて移動する。
【００２３】
係合ピン７が１８０度旋回して施錠が完了すると、図３（ｂ）と図４（ｂ）に示すように表示用部材２１は突起部１３ａにより最も高い位置まで押し上げられ、表示部２３の表示窓７に対する位置も変わることにより、シリンダ錠６が施錠状態であることを表す表示が表示窓７に現される。また、ロック爪３１がロック孔４１に進入してシリンダ錠６は施錠された状態になる。
【００２４】
再度シリンダ錠６の解錠操作を行なうと、ロック爪３１はロック孔４１から退出し、表示用部材２１はバネ２２で原位置まで押し戻されて、図３（ａ）と図４（ａ）の状態に戻る。この操作を繰り返すことにより、表示窓７にシリンダ錠６の施錠・解錠状態を表す表示が交互に現される。
【００２５】
シリンダ錠６の施錠・解錠状態の表示は、表示部２３に文字を刻印するか、或いは赤と青のシールを貼付する等で行える。
また、表示窓７の位置をフランジ２上端にしてもよいし1つだけにしてもよい。本発明のようにフランジ２の左右に計２ヶ所設けると視認性の高い表示とすることができる。
【図面の簡単な説明】
【００２６】
【図１】レバーハンドルの一部を破断した分解斜視図。
【図２】図１のＩＩ−ＩＩ断面図。
【図３】図１のＩＩ−ＩＩ部分断面図。図３（ａ）はハンドル５がフランジ２から開放された状態、図３（ｂ）はハンドル５がフランジ２にロックされた状態を表す。
【図４】図２のＩＶ−ＩＶ断面図。図４（ａ）はハンドルがフランジ２から開放された状態、図４（ｂ）はハンドル５がフランジ２にロックされた状態を表す。
【符号の説明】
【００２７】
１    レバーハンドル
２    フランジ
３    シャフト部
４    把持部
５    ハンドル
６    シリンダ錠
７    表示窓
１１    係合ピン
１２    係合孔
１３    スライド部材
１４    ガイド孔
２１    表示用部材
２２    バネ（付勢手段）
２３    表示部
２６    開口
３１    ロック爪
【図１】
2007217925.tif 000003
【図２】
2007217925.tif 000004
【図３】
2007217925.tif 000005
【図４】
2007217925.tif 000006